(57)【要約】【課題】逆止弁が故障した場合でも、装置下流側から装置上流側への逆流を防止することができるとともに、装置下流側の水位を保つことができる逆流防止装置を提供すること。【解決手段】水道管と接続される入力ポート５１と、給水電磁弁２０の入力ポート３８と接続される出力ポート５２と、入力ポート５１と出力ポート５２とを連通させる弁室４９と、弁室４９に連通するとともに大気開放された排水路５３と、弁室４９内に配設された排水弁体４７と、排水弁体４７が当接または離間する第１弁座５４および第２弁座５５と、排水弁体４７を第１弁座５４に当接させる方向に付勢する付勢バネ４８とを備える排水機構付逆流防止弁４０を、給水電磁弁２０の上流に設ける。【選択図】　　　　　　図１
2004108655.tif 000002
【特許請求の範囲】
【請求項１】
水道管からの水を供給するための給水電磁弁と、水道管への逆流を防止するための逆止弁とを備える逆流防止装置において、
前記給水電磁弁の上流に設けられた排水機構付きの逆流防止弁を有し、
前記逆流防止弁は、
水道管と接続される入力ポートと、
前記給水電磁弁の入水ポートと接続される出力ポートと、
前記入力ポートと前記出力ポートとを連通させる弁室と、
前記弁室に連通するとともに大気開放された排水口と、
前記弁室内に配設された排水弁体と、
前記排水弁体が当接または離間する第１弁座および第２弁座と、
前記排水弁体を前記第１弁座に当接させる方向に付勢する付勢バネとを備えていることを特徴する逆流防止装置。
【請求項２】
請求項１に記載する逆流防止装置において、
前記付勢バネのバネ力は、前記排水弁体の自重より大きく、かつ水道管の最低給水圧よりも小さい範囲内に設定されていることを特徴する逆流防止装置。
【請求項３】
請求項１または請求項２に記載する逆流防止装置において、
前記第１弁座がフラット形状であり、
前記排水弁体は、前記第１弁座に当接する部分にゴム製の弁シートを備え、
前記弁シートには、前記第１弁座に対向する面の外縁部に断面形状が略三角形の凸部が形成されていることを特徴する逆流防止装置。
【請求項４】
請求項１から請求項３に記載するいずれか１つの逆流防止装置において、
前記逆流防止弁の上流に、前記排水弁体にかかる圧力が逃げない方向に逆止弁が配設されていることを特徴とする逆流防止装置。
【発明の詳細な説明】
【０００１】
【発明の属する技術分野】
本発明は、水道管から浴槽などへ給水を行う給湯機などの給水装置に備わる逆流防止装置に関する。さらに詳細には、逆流防止装置に備わる逆止弁が故障した場合でも、水道管へ雑水が逆流することを防止することができる逆流防止装置に関するものである。
【０００２】
【従来の技術】
従来から、浴槽などへの給水を行うための給湯機などの給水装置には、日本水道協会の基準により、浴槽などから水道管への雑水の逆流を防止するための逆流防止装置を設ける必要がある。そして、現在、逆流防止装置としては、例えば特開２００２−１６２１０１号公報に開示されているように、図６に示すような、２つの逆止弁１０１，１０１を備えるダブル逆止弁方式の逆流防止装置１００が主流となっている。この逆流防止装置１００は、給水を行う給水電磁弁１０２と、給水量を計測する流量センサ１０３と、逆流を防止するための２つの逆止弁１０１，１０１とから構成されている。
【０００３】
そして、給水を行う場合には、給水電磁弁１０２がＯＮされる。これにより、給水電磁弁１０２が開き、逆流防止装置１００内に水道管から水が流れ込む。このとき、流量センサ１０３により給水量が計測される。そして、逆流装置１００内に流れ込んだ水の圧力により、２つの逆止弁１０１，１０１が順次開く。かくして、水道管からの水が浴槽などに供給される。
【０００４】
ここで、例えば、断水などにより水道管が負圧になった場合などに、浴槽などから水道管への雑水の逆流が発生するおそれがある。このような場合、このダブル逆止弁方式の逆流防止装置１００では、装置内に設けられた２つの逆止弁１０１，１０１の働きにより、浴槽などから水道管への雑水の逆流が防止されるようになっている。
【０００５】
【特許文献１】
特開２００２−１６２１０１号公報（第４〜５頁、第１図）
【０００６】
【発明が解決しようとする課題】
しかしながら、上記したダブル逆止弁方式の逆流防止装置１００では、逆止弁１０１のみで浴槽などから水道管への雑水の逆流を防止するようになっているので、逆止弁１０１が故障したとき、水道管内が負圧になった場合など装置上流（ＩＮ）側の圧力が装置下流（ＯＵＴ）側の圧力よりも低くなった場合に、浴槽などから水道管へ雑水が逆流するという問題があった。この問題を解決するために給水電磁弁と逆止弁の間を大気開放するという対策があるが、この対策では止水時に装置下流側（ＯＵＴ）の圧力が負圧になると大気を吸い込み装置下流（ＯＵＴ）側の水位が変動してしまうという問題があった。
【０００７】
そこで、本発明は上記した問題点を解決するためになされたものであり、逆止弁が故障した場合でも、装置下流側から装置上流側への逆流を防止することができるとともに、装置下流側の水位を保つことができる逆流防止装置を提供することを課題とする。
【０００８】
【課題を解決するための手段】
上記問題点を解決するためになされた本発明に係る逆流防止装置は、水道管からの水を供給するための給水電磁弁と、水道管への逆流を防止するための逆止弁とを備える逆流防止装置において、給水電磁弁の上流に設けられた排水機構付きの逆流防止弁を有し、逆流防止弁は、水道管と接続される入力ポートと、給水電磁弁の入水ポートと接続される出力ポートと、入力ポートと出力ポートとを連通させる弁室と、弁室に連通するとともに大気開放された排水口と、弁室内に配設された排水弁体と、排水弁体が当接または離間する第１弁座および第２弁座と、排水弁体を第１弁座に当接させる方向に付勢する付勢バネとを備えていることを特徴するものである。
【０００９】
この逆流防止装置では、無通水時（逆流防止装置単体の状態）には、逆流防止弁において、付勢バネにより排水弁体が第１弁座に当接している。そして、逆流防止装置を水道管に接続した後における止水時には、水道水の水圧が排水弁体にかかり、この水圧が付勢バネの付勢力に打ち勝ち、排水弁体が第１弁座から離間して第２弁座に当接する。これにより、逆流防止弁の入力ポートと出力ポートとが連通して、水道管から供給される水道水が給水電磁弁へと流れる。ところが、このとき、給水電磁弁はＯＦＦされているので、給水電磁弁より下流へ水道水は供給されない。すなわち、給水電磁弁にて止水されているのである。
【００１０】
また、止水時においては、排水弁体より下流側に設置された給水電磁弁により止水されているため、逆流防止装置の下流側が負圧になったとしても、排水弁体が移動して排水口が開放されて大気を吸い込むことがない。よって、装置下流側の水位が変動することがない。
【００１１】
そして、給水電磁弁がＯＮされて通水が開始されると、給水電磁弁より下流に水道管から供給された水道水が流れる。ここで、水道管が断水により負圧になった場合など装置上流側の圧力が装置下流側の圧力よりも低くなると、装置下流側から装置上流側への逆流が生じる。このとき、排水弁体には水圧がかからなくなるので、付勢バネの力により排水弁体が第２弁座から離間して第１弁座に当接する。このため、逆流防止弁の出力ポートと排水口とが連通する。したがって、上記のような逆流が生じ、そのときに逆止弁が故障したとしても、逆流により逆止弁を通過した雑水は排水口へと導かれる。つまり、装置下流側から装置上流側への逆流が防止される。
【００１２】
また、逆流防止弁は非常に簡単な構成のものであるので、信頼性も高く、かつコスト面でも有利である。このため、逆流防止装置を安価に製造することができる。
【００１３】
ここで、低い給水圧においても、排水弁体が第１弁座から離間し第２弁体に当接して排水口を塞ぐためには、付勢バネのバネ力をできる限り弱くする必要がある。付勢バネのバネ力が強いと、水道管から水道水を逆流防止装置に供給したときに、排水弁体により排水口が完全に閉鎖されずに排水口から水道水が漏れてしまうからである。その一方で、逆止弁が故障して装置下流側から逆流してくる雑水を装置上流側へ流れないようにする必要もある。このため、付勢バネのバネ力が弱すぎると、排水弁体を第２弁座から離間させ第１弁体に当接させることができない。こうなると、雑水が装置上流側へ流れてしまう。そこで、このような事態の発生を確実に防止するために、本発明に係る逆流防止装置においては、付勢バネのバネ力を、排水弁体の自重より大きく、かつ水道管の最低給水圧よりも小さい範囲内に設定している。
【００１４】
なお、付勢バネのバネ定数についてもできる限る弱くすることが望ましい。これにより、排水弁体を第１弁座から離間させ第２弁体に当接させて排水口を塞ぐ排水口の閉止動作を容易にすることができるからである。
【００１５】
また、本発明に係る逆流防止装置においては、第１弁座がフラット形状であり、排水弁体は、第１弁座に当接する部分にゴム製の弁シートを備え、弁シートには、第１弁座に対向する面の外縁部に断面形状が略三角形の凸部が形成されていることが望ましい。つまり、第１弁座側において弁本体側に弁座を形成するのではなく弁シート側に弁座を形成することが望ましい。
【００１６】
こうすることにより、より小さな力で逆流防止弁の入力ポートを閉鎖するために必要なシール力を得ることができるからである。つまり、付勢バネのバネ力を小さくしても、装置下流側から逆流してきた雑水が装置上流側へ流れ込まないようにするために必要なシール性能を確保することができる。また、弁シートと第１弁座との間に異物が噛み込みシール性能が低下しても、逆流してきた雑水が装置上流側に流れ込み難くすることができる。
【００１７】
さらに、本発明に係る逆流防止装置においては、逆流防止弁の上流に、排水弁体にかかる圧力が逃げない方向に逆止弁が配設されていることが望ましい。
【００１８】
例えばシャワー等の他の注水管路と給水源を同一にしている場合に、他の注水管路への注水が同時に行われると、排水弁体にかかる水圧が低下する。そうすると、排水弁体が第１弁座側に移動して排水口が開いてしまうおそれがある。こうなると、水道管から供給される水道水が排水口から漏れてしまう。しかしながら、この逆流防止装置では、逆流防止弁の上流に、排水弁体にかかる圧力が逃げない方向に逆止弁が配設されているので、排水弁体にかかる水圧の低下を抑制することができるため、排水口が開くことを確実に防止することができる。
【００１９】
【発明の実施の形態】
以下、本発明の逆流防止装置を具体化した最も好適な実施の形態について図面に基づいて詳細に説明する。そこで、本実施の形態に係る逆流防止装置の概略構成を図１に示す。図１は、逆流防止装置１０の概略構成を示す断面図である。この逆流防止装置１０は、入水ポート１１と、出水ポート１２と、給水電磁弁２０と、流量センサ３０と、排水機構付逆流防止弁４０と、逆止弁６０，６０とを備えており、ＯＵＴ（装置下流）側からＩＮ（装置上流）側への逆流を防止するものである。そして、入水ポート１１（ＩＮ側）が図示しない水道管に接続され、出水ポート１２（ＯＵＴ側）が図示しない浴槽に接続されている。
【００２０】
給水電磁弁２０は、逆流防止装置１０の入水ポート１１（ＩＮ側）に接続される水道管から供給される水道水を装置内、さらには出水ポート１２（ＯＵＴ側）に接続される浴槽へ供給するためのものである。この給水電磁弁２０の上部は、ソレノイド部２１により構成されている。このソレノイド部２１は、磁気枠２２、中空状のコイルボビン２３ａに銅線が巻かれたコイル２３と、コイルボビン２３ａの中空の両端に嵌入され固定された磁性チューブ２４と、磁性チューブ２４の筒内に挿入された中空状のガイドスリーブ２５と、ガイドスリーブ２５の中空内に摺動可能に嵌合された可動鉄心２６とで構成されている。
【００２１】
そして、可動鉄心２６の下端は、ダイヤフラム弁体２７に連結されている。ダイヤフラム弁体２７の下部外周には、ゴム製のダイヤフラム部２７ａが固設されている。このダイヤフラム弁体２７は、可動鉄心２６の上端部に設けられた付勢バネ３３により、弁座２８に当接される方向に常に付勢されるようになっている。したがって、ソレノイド部２１に通電していないときには、図１に示すように、ダイヤフラム弁体２７は、弁座２８に当接している。また、ダイヤフラム弁体２７には、連通路３１が穿設されている。連通路３１は、入力ポート３８とダイヤフラム室２９とを連通している。
【００２２】
また、弁座２８に連通して入力ポート３８が形成されている。そして、弁座２８の中央に形成された出力ポート３２は、逆止弁６０の入力ポート６６に連通している。この出力ポート３２の途中に、流量センサ３０が設けられている。この流量センサ３０は、出力ポート３２を流れる水の量、すなわち給水量を計測するものである。
【００２３】
排水機構付逆流防止弁４０は、逆流防止装置１０のＯＵＴ側から逆流してきた雑水を排出するとともに、水道管から給水電磁弁２０に供給される水道水を、逆流防止装置１０のＯＵＴ側に接続される浴槽へ供給するためのものである。この排水機構付逆流防止弁４０には、入力ポート５１と、出力ポート５２と、一端が大気開放された排水路５３とが形成されている。これら入力ポート５１、出力ポート５２、および排水路５３は、排水機構付逆流防止弁４０のほぼ中央に形成された弁室４９を介して、それぞれが互いに連通している。なお、入力ポート５１は逆流防止装置１０の入水ポート１１に接続され、出力ポート５２は給水電磁弁２０の入力ポート３８に接続されている。
【００２４】
そして、弁室４９と入力ポート５１との連通部分には第１弁座５４が形成され、弁室４９と排水路５３との連通部分には第２弁座５５が形成されている。これらの第１弁座５４と第２弁座５５とは、互いに対向するように形成されている。なお、第１弁座５４は、フラット形状になっている。また、弁室４９内には、付勢バネ４８により、第１弁座５４に当接される方向に常に付勢される排水弁体４７が配設されている。この排水弁体４７には、ゴム製の弁シート４７ａと４７ｂとが固設されている。そして、弁シート４７ａが第１弁座５４に当接することにより、入力ポート５１が閉鎖されるようになっている。また、弁シート４７ｂが第２弁座５５に当接することにより、排水口５３が閉鎖されるようになっている。
【００２５】
ここで、弁シート４７ａには、第１弁座５４に対向する面の外縁部に凸部５７が形成されている。この凸部５７は、その断面形状が略三角形（弁座形状）となっており、その頂角部分が第１弁座５４に当接するようになっている。すなわち、上記したように第１弁座５４をフラット形状にして、弁シート４７ａに凸部５７を形成しているので、弁シート４７ａに弁座を形成していると言える。これにより、より小さな力で入力ポート５１を閉鎖するために必要なシール力を得ることができるようになっている。このため、付勢バネ４８のバネ力は、排水弁体４７自体を支え、かつ動作させることが可能な最低値に設定されている。これにより、水道管から供給される水道水が排水路５３から漏れることなく、また、浴槽から逆流してきた雑水を排水路５３へ排水することができるようになっている。さらに、弁シート４７ａと第１弁座５４との間に異物が噛み込んでしまいシール性能が低下したとしても、弁シート４７ａがゴム製であるからある程度変性してシールするため、浴槽から逆流してきた雑水が入力ポート５１に流れ込みにくくなっている。
【００２６】
逆止弁６０は、ＯＵＴ側からの雑水の逆流を防止するためのものである。この逆止弁６０は、ケーシングに形成された弁座６５と、弁座６５に当接または離間する弁体６１と、弁体６１を弁座６５に当接させる方向に付勢する付勢バネ６９とから構成されている。そして、弁体６１の弁座６５に対する当接部にはゴム製の弁シート６２が固設されている。また、弁体６１には、自身の弁座６５に対する移動を案内するために、入力ポート６６に沿って摺動可能な複数の中央リブ６３と、ケーシングに対する弁体６１の移動を案内するためにケーシングに沿って摺動可能な複数の外周リブ６４とが形成されている。
【００２７】
そして、逆止弁６０は、入力ポート６６から弁体６１に水圧が作用したとき、スプリング６９の付勢力に抗して弁体６１を弁座６５から引き離し、水の通過をを許容するようになっている。一方、出力ポート６７から水圧が作用したときには、付勢バネ６９の付勢力及び水圧に基づいて弁体６１を弁座６５に押し付けて出力ポート６７からの逆流を防止するようになっている。これにより、出水ポート１２に接続された浴槽からの雑水の逆流が逆止弁６０，６０により防止されるようになっている。
【００２８】
次に、上記のような構成を有する逆流防止装置１０の動作について説明する。まず、無通水時、つまり逆流防止装置１０が水道管に接続される前の状態における逆流防止装置１０の状態について、図１を参照しつつ説明する。無通水時においては、給水電磁弁２０のソレノイド部２１には通電されておらず、可動鉄心２６は、付勢バネ３３により下方向に付勢されており、ダイヤフラム弁体２７が弁座２８に当接している。このため、給水電磁弁２０の入力ポート３２が閉鎖されている。
【００２９】
一方、排水機構付逆流防止弁４０においては、排水弁体４７に対して水圧がかかっていないので、付勢バネ４８の付勢力により排水弁体４８の弁シート４７ａが第１弁座５４に当接している。このため、排水機構付逆流防止弁４０の入力ポート５１は閉鎖されている一方、出力ポート５２と排水路５３とが連通している。
【００３０】
続いて、通常止水時、つまり逆流防止装置１０が水道管に接続された状態で給水を行っていない状態における逆流防止装置１０の動作について、図２を参照しつつ説明する。なお、図２は、正常止水時における逆流防止装置１０の状態を示す図である。正常止水時においては、水道管から水道水が逆流防止装置１０に供給されているので、排水弁体４７に水道水の水圧がかかる。ここで、付勢バネ４８のバネ力は、水道水の水圧よりも小さいため、排水弁体４７にかかる水圧により排水弁体４７は上方へ移動する。すなわち、排水弁体４７の弁シート４７ａが第１弁座５４から離間し、排水弁体４７の弁シート４７ｂが第２弁座５５に当接する。このため、排水路５３が閉鎖される一方、入力ポート５１と出力ポート５２とが連通する。これにより、水道管から給水電磁弁２０に対して水道水が供給される。
【００３１】
しかしながら、このときはまだ、給水電磁弁２０のソレノイド部２１には通電されていないため、可動鉄心２６は、付勢バネ３３により下方向に付勢されており、ダイヤフラム弁体２７が弁座２８に当接している。このため、給水電磁弁２０の入力ポート３２が閉鎖されているので、出力ポート３２へ水道水は流れない。つまり、給水電磁弁２０により止水されているのである。
【００３２】
ここで、止水時において、排水弁体４７により下流側に設置された給水電磁弁２０により止水されているため、逆流防止装置１０のＯＵＴ側が負圧になったとしても、排水弁体４７が移動して排水路５３が開放されて大気を吸い込むことがない。したがって、逆流防止装置１０の出水ポート１２に接続された浴槽の水位が変動することを防止することができる。
【００３３】
次いで、正常通水時おける逆流防止装置１０の動作について、図３を参照しつつ説明する。なお、図３は、正常通水時における逆流防止装置１０の状態を示す図である。この状態では、まず、給水電磁弁２０のソレノイド部２１への通電が開始される。そうすると、可動鉄心２６が磁性チューブ２４に吸引される。この吸引力は、付勢バネ３３の付勢力よりも大きいので、ダイヤフラム弁体２７が弁座２８から離間する。これにより、入力ポート３８と出力ポート３２とが連通し、水道管から供給される水道水が出力ポート３２へ流入する。
【００３４】
そして、出力ポート３２に流入した水は、流量センサ３０を通過し、逆止弁６０，６０へと流れ込む。このとき、各逆止弁６０では、逆止弁６０の入力ポート６６から弁体６１に水圧が作用する。この水圧により、弁体６１がスプリング６９の付勢力に抗して弁座６５から離間する。その結果、逆止弁６０へ流れ込んだ水は、逆止弁６０を通過して出力ポート６７から流出する。その結果、水道管から供給される水道水が逆流防止装置１０の出水ポート１２から浴槽へと供給される。
【００３５】
その後、止水すると、逆流防止装置１０は、次に述べるようにして再び図２に示す状態に戻る。まず、給水電磁弁２０のソレノイド部２１への通電が停止される。その結果、磁性チューブ２４の可動鉄心２６に対する吸引力が消滅する。そのため、可動鉄心２６は、付勢バネ３３の付勢力により下方へ付勢されて、ダイヤフラム弁体２７が弁座２８に当接する。これにより、入力ポート３８が閉鎖され、逆流防止装置１０上流側への水道水の供給が止まる。
【００３６】
次に、断水により逆流防止装置１０のＩＮ側が負圧になった場合における逆流防止装置１０の動作について、図４を参照しつつ説明する。なお、図４は、ＩＮ側が負圧になった場合における逆流防止装置１０の状態を示す図である。断水により、排水機構付逆流防止弁４０の入力ポート５１が負圧になると、給水電磁弁２０の入力ポート３８も負圧となるため、ダイヤフラム室２９も負圧になる。連通路３１により、ダイヤフラム室２９は入力ポート３８に連通しているからである。このため、給水電磁弁２０のダイヤフラム弁２８が上方に持ち上げられ、弁座２８から離間してしまう。そうすると、浴槽から雑水が逆流して給水電磁弁２０の入力ポート３８へ流れ込む。
【００３７】
しかしながら、排水機構付逆流防止弁４０では、排水弁体４７に対し水圧がかからなくなるため、付勢バネ４８の付勢力により排水弁体４７が下方へ移動する。すなわち、排水弁体４７の弁シート４７ｂが第２弁座５５から離間し、排水弁体４７の弁シート４７ａが第１弁座５４に当接する。このため、出力ポート５２と一端が大気開放された排水路５３とが連通し、水道管に接続されている入力ポート５１は閉鎖される。したがって、浴槽から逆流してきた雑水は、水道管に流れ込まず、排水路５３へ流れ排水される。すなわち、本実施の形態に係る逆流防止装置１０では、たとえ逆止弁６０，６０がともに故障したとしても、浴槽から水道管への雑水の逆流が確実に防止されるのである。
【００３８】
ここで、例えばシャワー等の他の注水管路と給水源を同一にしている場合に、他の注水管路への注水が同時に行われると、排水弁体４７にかかる水圧が低下する。そうすると、排水弁体４７が第１弁座５４側に移動して排水路５３が開いてしまうおそれがある。こうなると、水道管から供給される水道水が排水路５３から漏れてしまう。
【００３９】
そこで、シャワー等の他の注水管路と給水源を同一にしている場合には、図５に示す逆流防止装置１０ａを用いればよい。この逆流防止装置１０ａは、上記した逆流防止装置４０の変形例である。なお、図５は、変形例である逆流防止装置１０ａの構成を示す断面図である。この逆流防止装置１０ａは、上記した逆流防止装置１０とほぼ同様の構成を有するものであるが、排水機構付逆流防止弁内に逆止弁を備える点が異なる。このため、以下の説明では、相違点を中心に説明し、共通点については同じ符号を付して説明を省略する。
【００４０】
この逆流防止装置１０ａにおける排水機構付逆流防止弁４０ａは、図５に示すように、入力ポート５１内に逆止弁６０ａを備えている。この逆止弁６０ａは、上記した逆止弁６０と同じ構成を有するものである。そして、この逆止弁６０ａは、排水弁体４７にかかる水圧が逃げない方向に入力ポート５１内に配設されている。このため、逆流防止装置１０ａでは、他の注水管路への注水が同時に行われて、排水弁体４７にかかる水圧が低下しても、逆止弁６０ａの作用により排水弁体４７にかかる水圧の低下を抑制することができる。したがって、排水弁体４７の弁シート４７ｂが第２弁座５５から離間しない。つまり、排水路５３が開くことを確実に防止することができる。これにより、他の注水管路への注水が同時に行われても、排水路５３からの漏水を確実に防止することができる。
【００４１】
以上、詳細に説明したように実施の形態に係る逆流防止装置１０によれば、
給水電磁弁２０の上流に排水機構付逆流防止弁４０を設けているので、水道管が断水により負圧になった場合など装置上流側の圧力が装置下流側の圧力よりも低くなると、排水弁体４７に水圧がかからなくなり、付勢バネ４８の力により排水弁体４７の弁シート４７ｂが第２弁座５５から離間して弁シート４７ａが第１弁座５４に当接する。このため、逆流防止弁４０の出力ポート５２と排水路５３とが連通する。したがって、装置下流側からの雑水の逆流が生じ、そのときに逆止弁６０，６０がともに故障していたとしても、逆流により逆止弁６０，６０を通過した雑水は排水路５３へと導かれる。よって、装置下流側から装置上流側（水道管）への逆流を防止することができる。
【００４２】
また、止水時においては、排水弁体４７により下流側に設置された給水電磁弁２０により止水されているため、逆流防止装置１０のＯＵＴ側が負圧になったとしても、排水弁体４７が移動して排水路５３が開放されて大気を吸い込むことがない。したがって、装置下流側の水位が変動することも防止することができる。さらに、排水機構付逆流防止弁４０は非常に簡単な構成のものであるので、信頼性が高く、かつコスト面でも有利である。このため、逆流防止装置を安価に製造することができる。
【００４３】
また、本発明に係る逆流防止装置１０においては、第１弁座５４がフラット形状であり、第１弁座に当接する弁シート４７ａには、第１弁座５４に対向する面の外縁部に断面形状が略三角形の凸部５７を形成しているので、より小さな力で逆流防止弁４０の入力ポート５１を閉鎖するために必要なシール力を得ることができる。このため、付勢バネ４８バネ力は、排水弁体４７自体を支え、かつ動作させることが可能な最低値に設定することができる。その結果、排水弁体４７の移動がスムーズに行われるため、水道管から供給される水道水が排水路５３から漏れることなく、また、浴槽から逆流してきた雑水を排水路５３へ排水することができる。
【００４４】
さらに、本発明に係る逆流防止装置１０ａによれば、排水機構付逆流防止弁４０ａの入力ポート５１内に、排水弁体４７にかかる水力が逃げない方向に逆止弁６０ａを配設しているので、例えばシャワー等の他の注水管路と給水源を同一にしている場合に、他の注水管路への注水が同時に行われたとしても、排水弁体４７にかかる水圧の低下を抑制することができる。このため、排水路５３が開くことを確実に防止することができるため、排水路５３からの漏水を確実に防止することができる。
【００４５】
なお、上記した実施の形態は単なる例示にすぎず、本発明を何ら限定するものではなく、その要旨を逸脱しない範囲内で種々の改良、変形が可能であることはもちろんである。例えば、上記した実施の形態では、第１弁座５４をフラット形状とし、弁シート４７ａに凸部５７（弁座形状）を形成しているが、これとは逆に、弁シート４７ａをフラットにして、第１弁座５４を通常の弁座形状にしてもよい。
【００４６】
【発明の効果】
以上説明した通り本発明に係る逆流防止装置によれば、水道管からの水を供給するための給水電磁弁と、水道管への逆流を防止するための逆止弁とを備える逆流防止装置において、給水電磁弁の上流に設けられた排水機構付きの逆流防止弁を有し、逆流防止弁は、水道管と接続される入力ポートと、給水電磁弁の入水ポートと接続される出力ポートと、入力ポートと出力ポートとを連通させる弁室と、弁室に連通するとともに大気開放された排水口と、弁室内に配設された排水弁体と、排水弁体が当接または離間する第１弁座および第２弁座と、排水弁体を第１弁座に当接させる方向に付勢する付勢バネとを備えているので、水道管が断水により負圧になった場合など装置上流側の圧力が装置下流側の圧力よりも低くなると、排水弁体には水圧がかからなくなるので、付勢バネの力により排水弁体が第２弁座から離間して第１弁座に当接する。このため、逆流防止弁の出力ポートと排水口とが連通する。したがって、装置下流側からの雑水の逆流が生じ、そのときに逆止弁が故障したとしても、逆流により逆止弁を通過した雑水は排水口へと導かれる。よって、装置下流側から装置上流側（水道管）への逆流を防止することができる。
【００４７】
また、止水時においては、排水弁体より下流側に設置された給水電磁弁により止水されているため、逆流防止装置の下流側が負圧になったとしても、排水弁体が移動して排水口が開放されて大気を吸い込むことがない。よって、装置下流側の水位が変動することも防止することができる。
【図面の簡単な説明】
【図１】実施の形態に係る逆流防止装置の概略構成を示す断面図である。
【図２】止水時における逆流防止装置の状態を示す図である。
【図３】通水時における逆流防止装置の状態を示す図である。
【図４】ＩＮ側が負圧になった場合における逆流防止装置の状態を示す図である。
【図５】実施の形態に係る逆流防止装置の変形例の概略構成を示す断面図である。
【図６】従来の逆流防止装置の概略構成を示す断面図である。
【符号の説明】
１０，１０ａ　逆流防止装置
１１　　入水ポート
１２　　　　出水ポート
２０　　給水電磁弁
３２　　入力ポート（電磁給水弁）
３８　　出力ポート
４０　　排水機構付逆流防止弁
４７　　排水弁体
４７ａ，４７ｂ　弁シート
４８　　付勢バネ
４９　　弁室
５１　　入力ポート（逆流防止弁）
５２　　出力ポート（逆流防止弁）
５３　　排水路
５４　　第１弁座
５５　　第２弁座
５７　　凸部
６０，６０ａ　逆止弁
【図１】
2004108655.tif 000003
【図２】
2004108655.tif 000004
【図３】
2004108655.tif 000005
【図４】
2004108655.tif 000006
【図５】
2004108655.tif 000007
【図６】
2004108655.tif 000008